(57)【要約】      （修正有）【課題】エアーブラストの噴射ノズルを動かし易いエアーブラスト用鉄塔養生装置を提供する。【解決手段】エアーブラスト用鉄塔養生装置１００は、送電鉄塔等のケレン工事に用いられるものであり、天壁をなす上部材１０と、底壁をなす下部材２０と、養生シート３０とを備える。養生シート３０の上縁は、上部材１０の周縁に連結され、養生シート３０の下縁部は下部材２０の周縁に連結される。養生シート３０は、上下方向に延びる面ファスナー３２により上下方向を軸とする筒状に連結され、周方向、又は上下方向に弛みを有している。【選択図】図１
2019027135.tif 000002
【特許請求の範囲】
【請求項１】
鉄塔のケレン工事におけるエアーブラスト作業時に、作業対象部を覆う作業用ブースからなるエアーブラスト用鉄塔養生装置であって、
天壁をなす上部材と、
底壁をなす下部材と、
前記上部材の周縁に上端部を連結され前記下部材の周縁に下端部を連結されるとともに、上下方向に延びる面ファスナーにより上下方向を軸とする筒状に連結される養生シートとを備え、
前記養生シートは、周方向、又は上下方向に弛みを有することを特徴とするエアーブラスト用鉄塔養生装置。
【請求項２】
前記養生シートの上端縁に沿って並ぶ複数のロープ挿通孔に挿通される弾性ロープを有し、
前記養生シートの上端縁は、前記弾性ロープを前記上部材の周壁へ巻回することにより前記上部材に連結されている請求項１に記載のエアーブラスト用鉄塔養生装置。
【請求項３】
前記ロープ挿通孔は、前記養生シートの上端部を上下方向に延びる折線で２つ折りにして設けたひだ部に設けられ、周縁がハトメにより密封されている請求項２に記載のエアーブラスト用鉄塔養生装置。
【請求項４】
前記上部材の周壁は、円筒形に設けられている請求項１から請求項３のいずれか１項に記載のエアーブラスト用鉄塔養生装置。
【請求項５】
鉄塔の上下方向に延びる柱材に取り付けられ、
前記上部材は、一対の半割円筒部材からなる扁平な上部円筒部材と、前記上部円筒部材と前記柱材の間の開口を塞ぐ円環形の布状の上部シートと、前記上部円筒部材を前記柱材に固定すべく前記上部円筒部材からその径方向内側に伸縮可能に延出する複数の突っ張りボルトとを有する請求項１から請求項４のいずれか１項に記載のエアーブラスト用鉄塔養生装置。
【請求項６】
鉄塔の上下方向に延びる柱材に取り付けられ、
前記下部材は、一対の半割円筒部材からなる扁平な下部円筒部材と、前記下部円筒部材と前記柱材の間の開口を塞ぐ円環布状の下部シートと、前記下部円筒部材を前記柱材に固定すべく前記下部円筒部材からその径方向内側に伸縮可能に延出する複数の突っ張りボルトとを有する請求項１から請求項５のいずれか１項に記載のエアーブラスト用鉄塔養生装置。
【請求項７】
前記下部円筒部材の一対の半割円筒部材は、径方向内側に設けられる一対の内側半割円筒部材と、径方向外側に設けられる一対の外側半割円筒部材を備え、前記養生シートは、下縁部を前記内側半割円筒部材と前記外側半割円筒部材の間に挟まれるようにして、前記下側部材に固定される請求項６に記載のエアーブラスト用鉄塔養生装置。
【請求項８】
前記下部シートは、２つの半割円環状の半割下部シートからなる請求項６、又は請求項７に記載のエアーブラスト用鉄塔養生装置。
【請求項９】
前記上部材は、鉄塔にロープで吊るすよう構成され、前記下部材は前記上部材にロープで吊るすよう構成されている請求項１から請求項４のいずれか１項に記載のエアーブラスト用鉄塔養生装置。
【請求項１０】
前記下部材は、一対の有底の筒部材からなり、上部開口を塞ぐ蓋部材を有する請求項９に記載のエアーブラスト用鉄塔養生装置。
【請求項１１】
前記上部材の一対の半割円筒部材がワンタッチリリースヒンジにより開閉可能に、かつ脱着可能に連結されている請求項５に記載のエアーブラスト用鉄塔養生装置。
【請求項１２】
前記下部材の前記一対の内側半割円筒部材、及び前記一対の外側半割円筒部材は、４つのワンタッチリリースヒンジを内外２列に配設して固定した複ヒンジ部材にて互いに回動可能に連結されている請求項７に記載のエアーブラスト用鉄塔養生装置。
【請求項１３】
請求項１から請求項１２のいずれか１項に記載のエーアブラスト用鉄塔養生装置を用いて、鉄塔のケレン工事を行うエアーブラスト用鉄塔養生工法。
【発明の詳細な説明】
【技術分野】
【０００１】
この発明は、送電鉄塔等のケレン工事でエアーブラストを行う際、研磨剤や剥離した塗料、鉄錆等（以下、「研磨剤等」という。）が飛散しないよう養生する装置に関し、特に鉄塔の一部を覆った透明シートの外側からエアーブラスト装置のガンを差し込んで作業を行う作業用ブースからなるエアーブラスト用鉄塔養生装置、及びこれを用いた工法に関する。
【背景技術】
【０００２】
従来、送電鉄塔等のケレン工事をエアーブラストにより行う際に、研磨剤等の飛散による環境汚染を防止するため、あるいは、高価な研磨剤を回収、再利用するため、透明シート等の内部が視認できる側壁を備えたブースで施工部を覆うよう養生し、その中でエアーブラストを行う方法が、各種提案されている。
【０００３】
例えば、特許文献１では、上下方向に延びるＬ字鋼からなる鉄骨に取り付けた上下一対の端面部材の外周にクランプでシートの上下端を固定するようにしてシートを張設し、該シートに設けた開口部（穴）から、エアーブラスト用のトーチを差し込むようにした鉄骨の表面処理用ブースが提案されている。特許文献１の表面処理用ブースは、上下の端面部材を複数のパーツで構成し、これを組み合わせることによって、Ｌ字鋼の鉄骨を挟み込むものである。
【０００４】
また、特許文献２では、特許文献１と同様の構成を有する鉄骨の表面処理用ブースにおいて、周方向に複数設けられたシートを面ファスナーで接合するものが提案されている。
【０００５】
さらに、特許文献３では、Ｌ字鋼の水平材に取り付ける横倒しの円筒状をなす飛散防止用密閉カバーが提案されている。この密閉カバーは、透明な硬質のアクリル樹脂からなる円筒状の側壁に作業用開口部を設け、この円筒状の側壁を左右の側面に対し相対回転させることにより、作業用開口部を鉄骨の軸周りに回転させて、鉄骨の全周からエアーブラストを噴射できるよう構成している。
【先行技術文献】
【特許文献】
【０００６】
【特許文献１】特開２０１２−１８０５７６号公報
【特許文献２】特開２０１４−１５７５０号公報
【特許文献３】特開２０１７−７４６６７号公報
【発明の概要】
【発明が解決しようとする課題】
【０００７】
しかし、特許文献１、及び特許文献２の鉄骨の表面処理用ブースは、シートをクランプで固定するため、開口部を移動できないという問題が有る。特許文献２のブースは、面ファスナーを設けた接続部を開いてエアーブラスト用のトーチを差し込むようにすると、面ファスナーに沿って上下方向にトーチを移動させることができるものの、水平方向にはトーチを移動させることができないという問題が有る。
【０００８】
また、特許文献３の飛散防止密閉カバーは、水平な鉄骨の軸周りにエアーブラストの噴射ノズルを移動させることはできても鉄骨の軸方向には移動できないという問題が有る。
本発明は、上記課題に鑑みてなされたものであり、エアーブラストの噴射ノズルを上下方向にも水平方向にも容易に移動ができるエアーブラスト用鉄塔養生装置の提供を目的とする。
【課題を解決するための手段】
【０００９】
上記課題を解決するためになされた発明は、鉄塔のケレン工事におけるエアーブラスト作業時に、作業対象部を覆う作業用ブースからなるエアーブラスト用鉄塔養生装置であって、天壁をなす上部材と、底壁をなす下部材と、前記上部材の周縁に上端部を連結され前記下部材の周縁に下端部を連結されるとともに、上下方向に延びる面ファスナーにより上下方向を軸とする筒状に連結される養生シートとを備え、前記養生シートは、周方向、又は上下方向に弛みを有することを特徴とする。
【００１０】
このように、本発明のエアーブラスト用鉄塔養生装置では、筒状に設けた養生シートに、周方向、又は上下方向の弛みを設けるようにしたので、面ファスナーを開いた開口から差し込んだエアーブラスト装置の噴射ノズルを養生シートの弛みの範囲で動かすことができる。
【００１１】
前記養生シートの上端縁に沿って並ぶ複数のロープ挿通孔に挿通される弾性ロープを有し、前記養生シートの上端縁は、前記弾性ロープを前記上部材の周壁へ巻回することにより前記上部材に連結されていることが好ましい。このように、弾性ロープを上部材に巻回することで養生シートを固定するようにしたので、養生シートを簡単に上部材に固定することができ、かつ養生シートの上端縁と上部材の隙間を少なくして、エアーブラストに用いた研磨剤等がこの隙間から漏出することを抑制できる。
また、弾性ロープに沿ってロープ挿通孔を移動させるができるため、養生シートを周方向に移動でき、より噴射ノズルの可動範囲を広げることができる。
【００１２】
前記ロープ挿通孔は、前記養生シートの上端部を上下方向に延びる折線で２つ折りにして設けたひだ部に設けられ、周縁がハトメにより密封されていることが好ましい。こうすることで、ロープ挿通孔から、エアーブラストに用いた研磨剤等が外部へ漏出することを防止できる。
【００１３】
前記上部材の周壁は、円筒形に設けられていることが好ましい。こうすることで、弾性ロープを容易に巻回でき、また、養生シートを周方向に、より移動しやすくできる。
【００１４】
本発明のエアーブラスト用鉄塔養生装置は、鉄塔の上下方向に延びる柱材に取り付けられ、前記上部材は、一対の半割円筒部材からなる扁平な上部円筒部材と、前記上部円筒部材と前記柱材の間の開口を塞ぐ円環形の布状の上部シートと、前記上部円筒部材を前記柱材に固定すべく前記上部円筒部材からその径方向内側に伸縮可能に延出する複数の突っ張りボルトとを有するものを含む。
このように、上部円筒部材を、半割円筒部材により構成したことで、上下方向に延びる柱材に取り付けやすく、また、分割することで軽量化できるため、鉄塔の作業箇所まで持ち上げるのが容易である。
また、上部円筒部材からその径方向内側へ伸縮可能に延出する突っ張りボルトにより、当該上部材を、鉄塔の柱材に固定するようにしたので、上部材を種々の径の柱部材に取り付けることができる。
さらに、上部円筒部材と鉄塔の柱材の間の開口を円環形のシート（上部シート）で塞ぐようにしたので上部材を軽量化でき、その運搬や設置、取外しが容易である。
【００１５】
本発明のエアーブラスト用鉄塔養生装置は、鉄塔の上下方向に延びる柱材に取り付けられ、前記下部材は、一対の半割円筒部材からなる扁平な下部円筒部材と、前記下部円筒部材と前記柱材の間の開口を塞ぐ円環布状の下部シートと、前記下部円筒部材を前記柱材に固定すべく前記下部円筒部材からその径方向内側に伸縮可能に延出する複数の突っ張りボルトとを有するものを含む。
【００１６】
前記下部円筒部材の一対の半割円筒部材は、径方向内側に設けられる一対の内側半割円筒部材と、径方向外側に設けられる一対の外側半割円筒部材を備え、前記養生シートは、下縁部を前記内側半割円筒部材と前記外側半割円筒部材の間に挟まれるようにして、前記下側部材に固定されることが好ましい。
こうすることで、養生シートの下縁部を、下部材に対し容易に着脱できる。
【００１７】
前記下部シートは、２つの半割円環状の半割下部シートからなることが好ましい。こうすることで、シート上に溜まった研磨剤等を容易に包んで回収できる。
【００１８】
前記上部材は、鉄塔にロープで吊るすよう構成され、前記下部材は前記上部材にロープで吊るすよう構成されていてもよい。
こうすることで、当該エアーブラスト用鉄塔養生装置を、鉄塔の水平材に吊るす等して、柱材の無い箇所に用いることができる。また、下部材が上部材に対し回動できるため、面ファスナーの開口部から差し込んだ噴射ノズルを、より広範囲に動かすことができる。
【００１９】
上部材をロープで吊るすようにしたエアーブラスト用鉄塔養生装置は、前記下部材が、一対の有底の筒部材からなり、前記下部材の上部開口を塞ぐ蓋部材を有することが好ましい。
こうすることで、下部材に研磨剤等を溜め、蓋をして、研磨剤等を飛散させることなく回収できる。
【００２０】
前記上部材の一対の半割円筒部材は、ワンタッチリリースヒンジにより開閉可能に、かつ脱着可能に連結されていることが好ましい。こうすることで、より簡単に上部材を、組立て、分割することができる。特に、柱材に取り付けるタイプのエアーブラスト用鉄塔養生装置では、一対の半割円筒部材の２つの結合部のうち、ワンタッチリリースヒンジで結合された一方の結合部を閉じたまま、他方の結合部の連結を外して、ワンタッチリリースヒンジを中心に、２つの半割円筒部材を回動させて、他方の結合部を開くことで、２つの半割円筒部材を連結したまま、柱材に取り付けたり、取り外したりできる。
【００２１】
柱材に取り付けるタイプのエアーブラスト用鉄塔養生装置では、前記下部材の前記一対の内側半割円筒部材、及び前記一対の外側半割円筒部材は、４つのワンタッチリリースヒンジを内外２列に配設して固定した複ヒンジ部材にて互いに回動可能に連結されていることが好ましい。
こうすることで、より簡単に、下部材を鉄塔の柱材に対し着脱することができ、また、より簡単に養生シートの下縁部を下部材に着脱できる。
【００２２】
本発明は、上記いずれかのエアーブラスト用鉄塔養生装置を用いて、鉄塔のケレン工事を行うエアーブラスト用鉄塔養生工法を含む。
【発明の効果】
【００２３】
以上説明したように、本発明のエアーブラスト用鉄塔養生装置によれば、エアーブラストの噴射ノズルを上下方向にも水平方向にも容易に移動することができる。
【図面の簡単な説明】
【００２４】
【図１】本発明の第１実施形態に係るエアーブラスト用鉄塔養生装置を鉄塔の柱材に取り付けた様子を示す斜視図である。
【図２】図１に示したエアーブラスト用鉄塔養生装置の上部材近傍を示した分解斜視図である。
【図３】図１に示した上部材のワンタッチリリースヒンジを示した要部拡大斜視図である。
【図４】図１に示したエアーブラスト用鉄塔養生装置の下部材を示した分解斜視図である。
【図５】図１に示した下部材の斜視図である。
【図６】図１に示した下部材の複ヒンジを示す要部拡大斜視図である。
【図７】本発明の第２実施形態に係るエアーブラスト用鉄塔養生装置を鉄塔の水平材に取り付けた様子を示す斜視図である。
【図８】図７に示した上部材の分解斜視図である。
【図９】図７に示した下部材の分解斜視図である。
【図１０】図７に示した下部材の蓋部材を開いた状態を示す斜視図である。
【図１１】図７に示した下部材の蓋部材を閉じた状態を示す斜視図である。
【図１２】図２の突っ張りボルトの（ａ）先端側から見た正面図、（ｂ）収縮状態の縦断面図、（ｃ）伸長状態の縦断面図である。
【発明を実施するための形態】
【００２５】
以下、適宜図面を用いながら本発明の実施形態について詳述する。尚、本発明は、以下の実施形態に限られるものではない。
【００２６】
（第１実施形態）
図１は、本発明の第１実施形態に係るエアーブラスト用鉄塔養生装置１００を示している。第１実施形態に係るエアーブラスト用鉄塔養生装置１００は、鋼管を組立てて形成される鉄塔の柱材Ａに取り付けて、主に、エアーブラストによらなければケレン作業の行いにくい鋼管の連結部を覆うために用いられる。
エアーブラスト用鉄塔養生装置１００は、柱材Ａを軸とする略円柱状をなし、天壁をなす上部材１０と、底壁をなす下部材２０と、円筒状に周囲を覆う養生シート３０とを主に備える他、養生シート３０を上部材１０に固定する弾性ロープ３４を備えている。
【００２７】
上部材１０は、図１に示すように、平面視で円形をなし、図２に示すように、その外周部を構成する扁平円筒状の上部円筒部材４０と、上部円筒部材４０と鉄塔の柱材Ａの間の開口Ｄを塞ぐ円形の上部シート５０と、上部円筒部材４０を柱材Ａに固定すべく上部円筒部材４０からその径方向内側に伸縮可能に延出する４本の突っ張りボルト４１，４１，４１，４１とを有している。
【００２８】
上部円筒部材４０は、図２に示すように、一対の半割円筒部材４８，４８からなり、これらの周方向の両端縁を一対のワンタッチリリースヒンジ４２，４２で着脱自在に構成されている。
【００２９】
半割円筒部材４８，４８は、鉄やステンレス、アルミニウム合金等の金属材料を板金、機械、溶接加工等して設けられる。半割円筒部材４８，４８は、それぞれ半円筒状の周壁部４５と、周壁部４５の上端縁、及び下端縁に沿って溶接された丸棒からなる一対の補強条４７，４７と、周壁部４５の上縁から上方へ突出する２個の吊金具４３，４３と、周壁部４５の下縁から下方へ突出する２個の吊金具４４，４４と、周壁部４５を内外方向に貫通する２個の貫通孔４５ａ，４５ａ（図１２（ｂ）参照）に合わせて溶接された２個の支持ナット４５ｂ，４５ｂと、周壁部４５の内面の上端縁に沿い周壁部４５の周方向の略全長に亘って貼設された帯状の面ファスナー４６を備えている。
【００３０】
半割円筒部材４８，４８は、図２に示すように、周方向の両端に設けられたワンタッチリリースヒンジ４２を連結することで、円筒状の上部円筒部材４０に形成される。
図３は、ワンタッチリリースヒンジ４２の雄金具４２ａと雌金具４２ｂを分離した様子を示しており、雄金具４２ａは、シリンダ４２ｆと、シリンダ４２ｆ内を摺動してシリンダの上下両端部から進退する一対のラッチ４２ｄ，４２ｄと、ラッチ４２ｄ，４２ｄを操作するハンドル４２ｃ，４２ｃと、雄金具４２ａと雌金具４２ｂを着脱するためにハンドル４２ｃをスライド操作するための一対のＬ字溝４２ｇ，４２ｇとを備えている。シリンダ４２ｆの内部には、コイルばね（図には表れず）が設けられ、ラッチ４２ｄ，４２ｄをシリンジの外側へ付勢している。
また、雌金具４２ｂは、シリンダ４２ｆから突出した状態のラッチ４２ｄを枢支する一対の円筒状の軸受４２ｅ，４２ｅを備えている。
雄金具４２ａを雌金具４２ｂから分離させる際には、ハンドル４２ｃを上記のコイルばねに抗して操作し、ラッチ４２ｄを軸受４２ｅから引き抜く。
雄金具４２ａを雌金具４２ｂに連結させる際には、シリンダ４２ｆを雌金具４２ｂの一対の軸受４２ｅの間に差し入れた状態で、ハンドル４２ｃをＬ字溝４２ｇに沿って、シリンダ４２ｆの周りに回動させ、上記のコイルばねの力を利用して、ラッチ４２ｄを軸受４２ｅ内に挿入する。
【００３１】
突っ張りボルト４１は、図１２に示すように、基端側に設けられる全ねじボルト４１ｂと、全ねじボルト４１ｂの先端側に設けられる円筒部４１ｃと、円筒部４１ｃの先端に設けられるコ字形状の支持金具４１ｄとを備えている。突っ張りボルト４１は、全ねじボルト４１ｂの基端を周壁部４５の貫通孔４５ａ、及び支持ナット４５ｂに通し、固定ナット４１ａにより周壁部４５に固定する。
【００３２】
円筒部４１ｃは、図１２（ｂ）、（ｃ）に示すように、基端側の内周面に設けた雌ネジに対し全ねじボルト４１ｂを螺回させることで、全ねじボルト４１ｂを内部に対し侵入又は退出させて、突っ張りボルト４１の全長を伸縮するよう構成されている。
【００３３】
支持金具４１ｄは、円筒部４１ｃの先端を塞ぐ蓋部に枢支され、突っ張りボルト４１の軸周りに回動自在に設けられている。支持金具４１ｄは、柱材Ａに当接するコ字の両端部が、軟質樹脂製のカバー４１ｅにより被覆されている。
【００３４】
上部シート５０は、図２に示すように、扁平円筒状の保形枠５１と、保形枠５１の内側の開口を塞ぐように保形枠５１の内周面に張設されるシート部５２とを備えている。
【００３５】
保形枠５１は、厚み方向に湾曲させて有端環状とした可撓性樹脂の板材からなり、周方向の両端をホック５１ａ，５１ｂと面ファスナー５１ｃ，５１ｄで接続することで円環状に形成され、これらを脱着すると、周方向の両端間に割れ目５４が形成される。保形枠５１の外面の下縁に沿って、上部円筒部材４０内面の面ファスナー４６に係着する帯状の面ファスナー５６が貼設されている。
【００３６】
シート部５２は、例えば、ポリエステル織布等を裁断・縫製して有端環状に形成され、周方向の両端を、保形枠５１の周方向の両端に合わせるようにして、保形枠５１の内面の下端に沿って周縁が縫着されている。シート部５２は、中央に鉄塔の柱材Ａを通すための中穴５３が設けられ、周方向の両端縁は、雌雄の面ファスナー５２ａ、５２ｂにより互いに着脱自在に設けられている。中穴５３は、周縁に帯状の襟部５２ｃが立設され、襟部５２ｃの両端は、面ファスナーで着脱して開閉するよう構成されている。保形枠５１の割れ目５４とシート部５２の切れ目５５を通して、中穴５３に柱材Ａを収容する。
尚、シート部５２は、布状の物であれば、織布や不織布、編地、樹脂製シート等、公知の物を適宜に用いることができる。
【００３７】
養生シート３０は、図１に示すように、３組の養生シート３０ａ，３０ｂ，３０ｃからなる。養生シート３０ａ（３０ｂ，３０ｃも同じ）は、図２に示すように、矩形の透明なビニールシートからなるシート本体３１と、シート本体３１の周方向の両端縁に沿って貼設される帯状の面ファスナー３２とを備えている。養生シート３０は、面ファスナー３２により、隣接する養生シートのシート本体３１と連結されて、筒状に形成される。シート本体３１の周方向の中間部分には、下縁から上縁のやや下方まで面ファスナー３３により開閉する切り込みが設けられている。
【００３８】
養生シート３０は、図２に示すように、上縁部を上下方向に延びる折線３５ａにより２つに折り曲げて重なった内面同士を接着してひだ部３５が多数設けられ、ひだ部３５には、周縁がハトメ３６ａにより密封された円形貫通孔からなるロープ挿通孔３６が、設けられている。ひだ部３５を設けることで養生シート３０は周方向に弛みが形成されている。
【００３９】
弾性ロープ３４は、布地で被覆されたゴム紐からなり、両端に、金属線材を曲げ加工して形成されたフック３４ａがそれぞれ設けられている。養生シート３０ａ，３０ｂ，３０ｃは、ロープ挿通孔３６に通した弾性ロープ３４を上部材１０の外周に巻回し、両端のフック３４ａ，３４ａを係合させて、上部材１０に固定される。
【００４０】
下部材２０は、図５に示すように、平面視円形状に設けられ、一対の半割円筒部材６１，６２からなる扁平な下部円筒部材６０と、下部円筒部材６０と鉄塔の柱材Ａの間の開口を塞ぐ円環布状の下部シート８０と、下部円筒部材６０を柱材Ａに固定すべく下部円筒部材６０からその径方向内側に伸縮可能に延出する４本の突っ張りボルト７３，７３，７３，７３（図４参照）とを有している。
【００４１】
下部円筒部材６０は、図４に示すように、径方向外側に設けられる一対の外側半割円筒部材６１，６２と、径方向内側に設けられる一対の内側半割円筒部材７１，７２とを備えている。内側半割円筒部材７１，７２、及び外側半割円筒部材６１，６２は、複ヒンジ６４により周方向の一端を連結、かつ枢支されて、２対４枚が一体となり、４枚の半割円筒部材がそれぞれ複ヒンジ６４に対し回動するよう構成されている。
【００４２】
外側半割円筒部材６１，６２は、金属製の板材を厚み方向に曲げ加工して偏平な半円筒状に形成されている。外側半割円筒部材６１は、複ヒンジ６４と連結される端縁に雄金具６５（図６参照）を備え、その反対側の端縁にキャッチクリップ６３の受け金具６３ｂを備えている。また、外側半割円筒部材６２は、複ヒンジ６４と連結される端縁に軸受６２ｂ（図６参照）を備え、その反対側の端縁にキャッチクリップ６３の掛け金具６３ａを有している。
【００４３】
内側半割円筒部材７１，７２は、図４に示すように、金属製の板材を厚み方向に曲げ加工して偏平な半円筒状に形成した本体部７０ａと、本体部７０ａの上下両端に設けられるリブ７０ｂ，７０ｂと、本体部７０ａの内面に貼設される面ファスナー７０ｃと、本体部７０ａの上縁に設けられるフック７０ｄとを備えている。
【００４４】
突っ張りボルト７３は、図４に示すように、内側半割円筒部材７１の本体部７０ａの内面から内方に向かって延出するように設けられ、本体部７０ａに溶接される支持ナット７３ａと、全ねじボルト７３ｂと、円筒部７３ｃと、支持金具７３ｄとを備えている。
【００４５】
複ヒンジ６４は、図６に示すように、外側半割円筒部材６１、及び内側半割円筒部材７１の雄金具６５，７５のラッチ６５ｄ，６５ｄ，７５ｄ，７５ｄに係合する内外一対ずつ計４個の軸受６４ｂ，６４ｂ，６４ｂ，６４ｂと、外側半割外側円筒部材６２、及び内側半割円筒部材７２の軸受６２ｂ，６２ｂ，７２ｂ，７２ｂに係合する内外一対ずつ計４個のラッチ６４ｄ，６４ｄ，６４ｄ，６４ｄを備えている。
【００４６】
一対の半割外側円筒部材６１，６２は、複ヒンジ６４の反対となる端部で、キャッチクリップ６３により連結され（図４参照）、一対の内側半割円筒部材７１，７２は、複ヒンジ６４の反対となる端部で、キャッチクリップ７１ａにより連結される（図４参照）。
半割外側円筒部材６１，６２を開閉することにより、図１に示すように、養生シート３０の下端部を、半割外側円筒部材６１，６２と内側半割円筒部材７１，７２の間に挟持することができる。
尚、図４中符号６１ａは、天地表示である。
【００４７】
下部シート８０は、図４、図５に示すように、首穴８３を備えた円環形をなし、２つの半割円環状の半割下部シート８１，８２を雌雄の面ファスナー８２ｆ，８２ｅで連結して形成される。半割下部シート８１，８２は、それぞれ、保形枠８０ａと、保形枠８０ａの外面に貼設される面ファスナー８０ｂと、ポリエステル織布等で形成されるシート部８０ｃと、首穴８３の周縁に設けられ柱材Ａに巻回される襟紐８１ｈ，８２ｈを有している。襟紐８１ｈ，８２ｈは両端に設けられた面ファスナーで環状に連結され、二本が重なった状態で柱材Ａに固定される。
【００４８】
（エアーブラスト用鉄塔養生工法）
次に、エアーブラスト用鉄塔養生装置１００を用いて行うエアーブラスト用鉄塔養生工法について説明する。
エアーブラスト用鉄塔養生装置１００を鉄塔の柱材Ａに取り付ける際には、柱材Ａのエアーブラストの対象となる箇所の上方で、図２に示すように、分離した状態の一対の半割円筒部材４８，４８を柱材Ａに被せ、両端のワンタッチリリースヒンジ４２，４２を連結して上部円筒部材４０を形成する。続けて、上部円筒部材４０を適宜の位置に支持しながら、突っ張りボルト４１の円筒部４１ｃを螺回させて支持金具４１ｄが柱材Ａに当接するまで突っ張りボルト４１を伸長する。４本の突っ張りボルト４１，…は、概ね同じ長さになるよう伸長し、上部円筒部材４０を柱材Ａに固定する。
【００４９】
次に、上方から上部シート５０を上部円筒部材４０の中に収容し、上部円筒部材４０の面ファスナー４６に上部シート５０の面ファスナー５６を係着し、シート部５２の面ファスナー５２ａ、５２ｂを係着するとともに、襟部５２ｃ両端の面ファスナーを係着してシート部５２の両端を連結する。
【００５０】
上部材１０の取り付けが完了したら、図４に示すように、上部材１０から下方に適宜の間隔をおいて、下部材２０を取り付ける。下部材２０の取り付けは、まず、一対の内側半割円筒部材７１，７２を、柱材Ａに被せるようにして、複ヒンジ６４に連結し、続けて一対の外側円筒部材６１，６２を複ヒンジ６４に連結する。そして、内側半割円筒部材７１，７２、及び外側半割円筒部材６１，６２を閉じ、キャッチクリップ７１ａ、６３を係合して、下部円筒部材６０を円筒形にする。
【００５１】
この状態で、円筒部材６０を適宜の位置に支持しながら、突っ張りボルト７３の円筒部７３ｃを螺回して、支持金具７３ｄが鉄塔の柱材Ａに当接するまで突っ張りボルト７３を伸長し、下部円筒部材６０を柱材Ａに固定する。半割下部シート８１，８２を突っ張りボルト７３に載置し、面ファスナー８１ｅ，８２ｆを係着して下部シート８０を環状に形成する。下部シート８０は、襟紐８１ｈ，８２ｈを柱材Ａに巻回しその両端を面ファスナーで係着して柱材Ａに固定する。
【００５２】
次に、養生シート３０ａの弾性ロープ３４を上部材１０の周囲に巻回し、両端のフック３４ａ，３４ａを係合させて、養生シート３０ａを上部材１０に取り付ける。同様に、養生シート３０ｂ，３０ｃを互いのシート本体３１が重ならないように適宜ずつ周方向にずらしながら、上部材１０に取り付ける。養生シート３０ａ，３０ｂ，３０ｃは、シート本体３１の両端を、面ファスナー３２で連結して、筒状に形成する。
このように、弾性ロープ３４で養生シート３０を上部材に取り付けるようにしたので、養生シート３０の取り付けが容易であり、かつ、エアーブラスト用の研磨剤等がシート本体３１上縁と上部材１０の隙間から漏出することを抑制できる。本実施形態では、３本の弾性ロープ３４が巻回されるので、より確実に研磨剤等の漏出を抑制できる。
【００５３】
シート本体３１の下縁は、外側半割円筒部材６１，６２とキャッチクリップ６３を開閉操作して、外側半割円筒部材６１，６２と内側半割円筒部材７１，７２で挟持する。この際、シート本体３１は、上下方向に弛みを持った状態で、下縁が挟持される。これで、エアーブラスト用鉄塔養生装置１００の柱材Ａへの取り付けが完了する。このように、下部材２０は、外側半割円筒部材６１，６２と内側半割円筒部材７１，７２を開閉可能に構成されているので、シート本体３１の下縁を挟持しやすい。
【００５４】
エアーブラスト作業は、養生シート３０の面ファスナー３２、又は３３の係着を一部外して開口部を形成し、これにエアーブラストの噴射ノズルを差し込んで行う。面ファスナー３２,３３は、上下方向に延びるため、作業対象箇所の高さに合わせて適宜に開口部を設けることができる。また、養生シート３０には、周方向、及び上下方向ともに弛みが有るので噴射ノズルを差し込んだ開口部を上下、前後、及び左右の何れの方向にも動かすことができる。また、ロープ挿通孔３６を弾性ロープ３４に対し走行させて、シート本体３１を周方向に移動することによっても、噴射ノズルを差し込んだ開口部を周方向に移動できる。
【００５５】
エアーブラスト作業が終了したら、シート本体３１の下縁、面ファスナー３２，３３を適宜に開いて、下部シート８０に溜まった研磨剤等を回収する。この際、下部シート８０は、半割下部シート８１，８２に分離できるので、研磨剤等を包んで取り出しやすい。
【００５６】
（第２実施形態）
図７は、本発明の第２実施形態に係るエアーブラスト用鉄塔養生装置２００を示している。エアーブラスト用鉄塔養生装置２００は、図７に示すように、上部材２１０と、下部材２２０と、養生シート３０とを主に備えている。
尚、第２実施形態において、第１実施形態と共通する部材には同一記号を付して説明を省略する。
【００５７】
上部材２１０は、主に板金・機械加工等した金属製の板材、線材や金具等を組み付け、溶接加工して、図８に示すような偏平の有蓋円筒状に形成されている。上部材２１０は、一対の有蓋の半割円筒部材２１１，２１２からなる。
【００５８】
半割円筒部材２１１，２１２は、それぞれ、金属製の板材を厚み方向に湾曲加工した本体部２１０ａと、本体部の内面の下縁に沿って設けられるリブ２１０ｂと、本体部２１０ａの上下端縁に沿って溶接された金属製丸棒からなる補強条２１０ｄ，２１０ｄと、吊金具２１０ｅ、２１０ｆと、本体部２１０ａの周方向の端縁に設けられたワンタッチリリースヒンジ４２の雄金具４２ａ、及び雌金具４２ｂとを備えている。
半割円筒部材２１１、２１２はそれぞれ半円形の天板２１１ａ，２１２ａを備え、天板２１２ａの直径をなす端縁を２枚の帯板で挟んで設けた繋ぎ部材２１２ｂに天板２１１ａの直径をなす端縁を差し込むようにして、互いに連結される。
【００５９】
下部材２２０は、上部材２１０と同様、主に金属製材料から、図９、図１０に示すような、一対の半割円筒部材２２１，２２２、からなる偏平の有底円筒状に形成されている。
【００６０】
半割円筒部材２２１，２２２は、それぞれ半割筒状の本体部２２０ａと、本体部内面の上縁に沿って溶接されるリブ２２０ｂと、リブ２２０ｂの上面から上方へ突出する係止ボルト２２０ｃと、本体部２２０ａの外面の上下縁に沿って溶接される金属丸棒からなる補強条２２０ｄ，２２０ｄと、本体部２２０ａの上縁から上方へ延出する吊金具２２０ｆと、本体部２２０ａの周方向の端縁に設けられたワンタッチリリースヒンジ４２の雄金具４２ａ、及び雌金具４２ｂとを備えている。
半割円筒部材２２１、２２２はそれぞれ半円形の底板２２１ａ，２２２ａを備え、底板２２２ａの直径をなす端縁を２枚の帯板で挟んで設けた繋ぎ部材２２２ｂに底板２２１ａの直径をなす端縁を差し込むようにして、互いに連結される。
【００６１】
図７に示すように、上部材２１０は、鉄塔の水平部材Ｃに吊金具２１０ｆ、ロープ７０により吊り下げられ、下部材２２０は、ロープ６、カラビナ６ａ、及び吊金具２２０ｆにより上部材２１０に吊り下げられる。養生シート３０は、上端縁、及び下端縁とも弾性ロープ３４により、上部材２１０、下部材２２０に取り付けられる。鉄塔の斜材Ｂは、面ファスナー３２，３３の開口部を通すことで、かわすことができる。
下部材２２０をロープ６により吊り下げるようにしたので、下部材２２０が上部材２１０に対して揺動するため、面ファスナー３２,３３に設けた開口部も、養生シート３０の弛みによる範囲以上に移動可能な範囲が大きくなる。
下部材２２０には、弾性ロープ３４によりビニール袋等からなる受け袋９も合わせて保持されて、下部材２２０とシート本体３１の隙間から下方へ落ちる研磨剤等を捕集する。
【００６２】
エアーブラスト用鉄塔養生装置２００は、図１０に示すように、下部材２２０を塞ぐ、蓋部材２２３を備えている。蓋部材２２３は、下部材２２０の本体部２２０ａの内径よりもやや小さい直径の円形板からなり、不図示の蝶番により２つ折り可能に構成されている。蓋部材２２３は、下部材２２０の係止ボルト２２０ｃを挿通する４つの係合孔２２３ａと、係合孔２２３ａに挿通した係止ボルト２２０ｃに螺合して蓋部材２２３を下部材２２０に固定する樹脂製の袋ナット２２３ｂと、袋ナット２２３ｂを把手２２３ｄに連結するワイヤ２２３ｃとを備えている。
【００６３】
エアーブラスト用鉄塔養生装置２００を用いて、エアーブラスト作業を行った後は、下部材２２０を蓋部材２２３で蓋をして溜まった研磨剤等を回収する。
【００６４】
以上、本発明のエアーブラスト用鉄塔養生装置は、上記の実施形態に限られるものではなく、例えば、上部材、及び下部材は、円形でなくともよい。養生シートは、弾性ロープによらずに上部材に取り付けてもよく、２枚以下、又は４枚以上であってもよい。上部材、下部材は、突っ張りボルトやロープによらずに、鉄塔に取り付けてもよい。第１実施形態においても、下部材をロープで上部材に吊るすようにしてもよい。半割円筒部材の連結にワンタッチリリースヒンジ以外の部材を用いことができる。
【符号の説明】
【００６５】
エアーブラスト用鉄塔養生装置１００，２００
上部材１０，２１０
下部材２０，２２０
養生シート３０
面ファスナー３２
弾性ロープ３４
ひだ部３５
折線３５ａ
ロープ挿通孔３６
ハトメ３６ａ
上部円筒部材４０
突っ張りボルト４１
ワンタッチリリースヒンジ４２
半割円筒部材４８
上部シート５０
ロープ６，７
下部円筒部材６０
複ヒンジ部材６４
外側半割円筒部材６１，６２
内側半割円筒部材７１，７２
突っ張りボルト７３
下部シート８０
半割下部シート８１，８２
半割円筒部材２１１，２１２
半割円筒部材２２１，２２２
蓋部材２２３
柱材Ａ
斜材Ｂ
水平材Ｃ
開口Ｄ
【図１】
2019027135.tif 000003
【図２】
2019027135.tif 000004
【図３】
2019027135.tif 000005
【図４】
2019027135.tif 000006
【図５】
2019027135.tif 000007
【図６】
2019027135.tif 000008
【図７】
2019027135.tif 000009
【図８】
2019027135.tif 000010
【図９】
2019027135.tif 000011
【図１０】
2019027135.tif 000012
【図１１】
2019027135.tif 000013
【図１２】
2019027135.tif 000014